(57)【要約】靴の甲革と裏地からなる靴アッパー、靴内底、中底と外底を備える換気靴である。前述の靴の外底の上表面に弾力性をもつ気嚢が置かれ、前述の気嚢につないでいるエアパイプが前述の靴アッパーまで延べており、靴の甲革と裏地の間に位置し、また前述の靴アッパー部にあるエアパイプには外部に貫通する換気穴を設けてある。この換気靴は靴内外の空気を循環させることによって、靴内の空気をきれいにし、靴内をずっと乾燥かつ換気性のよい状態に保つことができる。【選択図】図１
2004508075.tif 000002
【特許請求の範囲】
【請求項１】
靴の甲革と裏地からなる靴アッパー、靴内底、中底と外底を備える換気靴において、
前述の靴の外底の上部に弾力性をもつ気嚢が置かれ、前述の気嚢につないでいるエアパイプが前述の靴アッパーまで延べており、靴の甲革と裏地の間に位置し、また前述の靴アッパー部にあるエアパイプには外部に貫通する換気穴が設けてあることを特徴とする換気靴。
【請求項２】
前述の靴の中底に前述の気嚢と対応する穴が設けてあることを特徴とする請求項１記載の換気靴。
【請求項３】
エアパイプを２本設けていることを特徴とする請求項１記載の換気靴。
【請求項４】
前述の靴底内部のエアパイプ上にも換気穴を設けており、前述の靴内底と前述の中底に気嚢と対応する貫通穴を設けていることを特徴とする請求項１または請求項２記載の換気靴。
【請求項５】
前述の貫通穴が前述の靴内底および前述の中底の前半部分にあることを特徴とする請求項４記載の換気靴。
【請求項６】
前述の靴内底の裏側のヒール位置に支持用裏地が付けてあることを特徴とする請求項５記載の換気靴。
【発明の詳細な説明】
【０００１】
【発明の属する技術分野】
この発明は靴、特に換気靴に関する。
【０００２】
【従来の技術】
ご承知の通り、足部が熱を発散し、汗を流すため、長時間にわたって靴を履くと靴内部は湿気が強く、蒸し暑い。このような環境のもとでは、ばい菌が繁殖しやすく、いろいろな足の病気をもたらす。いままでこの問題を解決するため多くの方法を採ってきた。例えば、靴内に薬物の内底や吸水性のよい材料で作られた内底を入れることや、靴の甲に換気穴をつけることなどがある。また、近頃靴底に密閉の気嚢を取り付けた気嚢靴が開発された。
【０００３】
【発明が解決しようとする課題】
しかしながら、この気嚢の役割は歩くときに足下の弾力性を増やすだけであって、靴内の空気を入れ替わるものではない。したがって、いままで採用されてきた方法には、靴内外の空気を循環することによって、靴内の空気をきれいにするものはまだない。
【０００４】
【課題を解決するための手段】
上記の課題を解決するため、この発明は、靴内外の空気を循環することによって、靴内の空気をきれいにし、靴内をずっと乾燥かつ換気性のよい状態に保つことのできる靴を提供することを目的とする。
【０００５】
この発明に係わる換気靴は、靴の甲革と裏地からなる靴アッパー（ｕｐｐｅｒ）、靴内底、中底と外底を備え、前述の外底の上部に弾力性をもつ気嚢が置かれている。前述の気嚢につないでいるエアパイプは、前述の靴アッパーまで延べており、靴の甲革と裏地の間に位置する。前述の靴アッパー部にあるエアパイプには外部に貫通する換気穴が設けてある。前述の換気靴は以下の特徴をもつ。
【０００６】
前述の靴の中底に前述の気嚢と対応する穴が設けてある。
エアパイプを２本設けてある。
前述の靴底内部のエアパイプ上にも換気穴を設けており、前述の靴内底と前述の中底に気嚢と対応する貫通穴を設けてある。
前述の貫通穴が前述の靴内底および前述の中底の前半部分にある。
前述の靴内底の裏側のヒール位置に支持用裏地が付けてある。
【０００７】
この発明に係わる換気靴は現在の靴と比べると、靴内外の空気を循環させることができる気嚢、エアパイプおよび換気穴との構造を採用し、着用の際に靴内外の空気が絶えずに循環し、更新することによって、靴内部をずっと乾燥かつ清潔に保つことができるものである。
【０００８】
【発明の実施の形態】
以下、図面を参照して本発明の好ましい実施の形態について説明し、さらに本発明の前述の目的、特徴および優れたところを理解していただく。
【０００９】
図１はこの発明の第一実施の形態の運動靴１である。この靴１は靴の甲革と裏地からなる靴アッパー１１、靴内底１２、中底１３と外底１４を備える。この発明によれば、前述の外底１４の上部に弾力性をもつ気嚢２が置かれている。前述の気嚢２につないでいるエアパイプ３は、靴外底の上部表面に沿って延長し、外底の縁から上へ曲がり、靴アッパー１１につながる（図１には表示していない）。靴アッパー内にあるエアパイプは前述の靴の甲革と裏地の間に位置し、その上に複数個の換気穴４が設けてある。これらの換気穴は外部と貫通している。
【００１０】
本発明において、気嚢２を置きやすくするために、靴中底１３にこの気嚢と対応する穴１５を設けており、気嚢２がその穴を通り抜き、しかも中底より高くなっている。
【００１１】
図２は本発明の第二実施の形態の分解斜視図である。この実施例において、靴内底１２と中底１３にそれぞれ対応する貫通穴５が設けてある。本発明において、靴底内にあるエアパイプ３には換気穴４が設けられ、靴底内部の空気の交換ができ、換気効果が高まる。
【００１２】
本発明の第二実施の形態は以下の構成になっている。
本実施例において、貫通穴５は靴中底１３と内底１２が足裏の前部に対応する部分に設けられているので、靴全体にわたって、各層の間の空気の交換が実現できるようになっている。
【００１３】
本実施例において、靴内底１２の裏面のヒール部分に支持用裏地６が付けられている。この裏地は厚さと硬さが適切で、体の重さを平均的に支え、気嚢内の空気を均一に排出させる役割がある。
【００１４】
人々は本発明の換気靴を履いて歩くときに、足のヒールが気嚢を踏み付けると、気嚢内の空気が外底に設けたエアパイプを通って排出され、さらに靴アッパー内のエアパイプ上の換気穴を通って、靴アッパー内および靴外に排出される。足を上げて、足のヒールが気嚢を踏み付けなければ、圧縮された気嚢の弾力性と気嚢内の負圧により、外部新鮮な空気は換気穴を通して靴内と気嚢内に吸い込まれ、気嚢を完全に膨らむ状態に戻す。よって、靴を履いて歩くまたは走るだけで、気嚢は絶えずに圧縮、膨張を繰り返し、靴内の空気を循環させ、靴内を乾燥かつ靴内の空気をきれいに保つことができる。
【００１５】
以上本発明の好ましい実施の形態について詳しく説明したが、この分野の普通の技術者にもご理解していただけるように、本発明の主旨の範囲内にさらに上述の実施例を変化させることができる。例えば、上述の図に示された実施例は運動靴であるが、本発明の考えはすべてのタイプの靴に適用できることは明らかである。また、エアパイプは１本に限らず、必要に応じて複数本を設けることができる。換気穴も靴アッパーの任意の必要なところに設けることができるなど。したがって、本発明の保護範囲は次の特許請求の範囲より決まる。
【図面の簡単な説明】
【図１】この発明の第一実施の形態に係わる換気靴の分解斜視図である。
【図２】この発明の第二実施の形態に係わる換気靴の分解斜視図である。
【国際公開パンフレット】
2004508075.tif 000003
2004508075.tif 000004
2004508075.tif 000005
2004508075.tif 000006
2004508075.tif 000007
2004508075.tif 000008
2004508075.tif 000009
【国際調査報告】
2004508075.tif 000010
2004508075.tif 000011